(57)【特許請求の範囲】
【請求項１】
建築物を構成する資材を撮影可能なカメラと、
ディスプレイと、
処理部と、
ユーザの指示を入力する入力部とを有し、
前記処理部は、
前記カメラにより撮影された前記資材の画像を取得する画像取得部と、
前記画像取得部において前記資材の画像が取得されると、取得された前記画像に基づいて、前記画像に写された前記資材に類似する１以上の既製品の情報を取得する情報取得部と、
前記ディスプレイにおいて表示する画面を生成する表示処理部とを含み、
前記表示処理部は、前記画像に写された前記資材に類似する１以上の前記既製品の情報が前記情報取得部において取得されると、当該１以上の既製品の情報を表示する第１既製品表示画面を生成し、
前記情報取得部は、前記第１既製品表示画面において表示される１以上の前記既製品の中から１つの前記既製品を選択することを求める前記指示が入力されると、当該１つの既製品に関する詳細情報を取得し、
前記表示処理部は、前記情報取得部において前記詳細情報が取得されると、取得された前記詳細情報を表示する第２既製品表示画面を生成し、
前記処理部は、前記第２既製品表示画面において１つの前記既製品の前記詳細情報を表示しているとき、当該１つの既製品を含む建築物の設計が可能な設計用ソフトウェアによって利用される設計用データであって、当該１つの既製品に関する情報を含んだ前記設計用データを登録することを求める前記指示が入力されると、前記設計用ソフトウェアを実行する第１サーバにアクセスし、設計プロジェクトごとに前記第１サーバが管理する前記設計用データのライブラリへ当該１つの既製品の前記設計用データを登録する処理を行う設計用データ登録部を含む、
情報表示装置。
【請求項２】
前記画像取得部は、前記カメラにより撮影された前記画像を周期的に取得し、
前記情報取得部は、前記画像取得部において前記資材の画像が取得される度に、取得された前記画像に基づいて、前記画像に写された前記資材に類似する１以上の既製品の情報を取得し、
前記表示処理部は、前記情報取得部において前記１以上の既製品の情報が反復的に取得されることに応じて、前記第１既製品表示画面を反復的に生成する、
請求項１に記載の情報表示装置。
【請求項３】
前記処理部は、前記第２既製品表示画面において１つの前記既製品の前記詳細情報が表示される度に、前記詳細情報が表示された日付と、当該１つの既製品を示す情報とを含んだ履歴情報を記録する履歴記録部を含み、
前記表示処理部は、前記履歴情報の閲覧を求める前記指示が入力されると、前記履歴記録部により記録された前記履歴情報を表示する履歴表示画面を生成する、
請求項１又は２に記載の情報表示装置。
【請求項４】
前記情報表示装置の地理的な位置に関する位置情報を取得する測位部を有し、
前記履歴記録部は、前記第１既製品表示画面において表示される１以上の前記既製品の中から選択された１つの前記既製品の前記詳細情報を前記第２既製品表示画面において表示した場合、当該１以上の既製品に類似する前記資材を前記カメラが撮影した際に前記測位部で取得された前記位置情報を含む前記履歴情報を記録し、
前記表示処理部は、前記位置情報を含んだ前記履歴表示画面を生成する、
請求項３に記載の情報表示装置。
【請求項５】
前記履歴記録部は、前記第１既製品表示画面において表示される１以上の前記既製品の中から選択された１つの前記既製品の前記詳細情報を前記第２既製品表示画面において表示した場合、当該１以上の既製品に類似する前記資材を写した前記画像を含む前記履歴情報を記録し、
前記表示処理部は、前記履歴情報中の前記画像の閲覧を求める前記指示が入力されると、前記画像を含んだ前記履歴表示画面を生成する、
請求項３又は４に記載の情報表示装置。
【請求項６】
前記処理部は、前記第２既製品表示画面において１つの前記既製品の前記詳細情報を表示しているとき、当該１つの既製品に関する情報を記録することを求める前記指示が入力されると、当該１つの既製品の前記詳細情報又は前記詳細情報を取得するための参照情報を記録する既製品情報記録部を含み、
前記表示処理部は、前記既製品情報記録部により記録された前記既製品の一覧を表示することを求める前記指示が入力されると、記録された前記既製品の一覧を表示する一覧表示画面を生成し、
前記情報取得部は、前記一覧表示画面において前記既製品の一覧を表示しているとき、前記既製品の一覧に含まれる１つの前記既製品を選択することを求める前記指示が入力されると、当該１つの既製品について前記既製品情報記録部により記録された前記詳細情報を取得するか、又は、当該１つの既製品について前記既製品情報記録部により記録された前記参照情報に基づいて前記詳細情報を取得し、
前記表示処理部は、前記情報取得部において前記詳細情報が取得されると、取得された前記詳細情報を表示する前記第２既製品表示画面を生成する、
請求項１〜５のいずれか一項に記載の情報表示装置。
【請求項７】
前記表示処理部は、１以上の前記既製品の情報を表示する前記第１既製品表示画面を生成する場合、当該１以上の既製品の各々について前記既製品情報記録部による情報の記録が行われているか否かを表示する前記第１既製品表示画面を生成する、
請求項６に記載の情報表示装置。
【請求項８】
前記画像に含まれる前記資材に類似した１以上の前記既製品について前記情報取得部が取得する情報は、当該１以上の既製品の各々と前記資材との類似の度合いを示す類似度を含んでおり、
前記表示処理部は、前記第１既製品表示画面において、前記画像に含まれる前記資材に類似した複数の前記既製品の情報を、前記類似度に応じた順に並べて表示する、
請求項１〜７のいずれか一項に記載の情報表示装置。
【請求項９】
前記情報取得部は、前記画像に写された前記資材に類似する１以上の前記既製品の情報を取得することを求める前記指示が入力されると、当該１以上の既製品の情報を取得する処理を実行し、
前記表示処理部は、前記情報取得部において前記１以上の既製品の情報が取得されることに応じて、前記第１既製品表示画面を生成する、
請求項１〜８のいずれか一項に記載の情報表示装置。
【請求項１０】
前記情報取得部は、与えられた前記画像に基づいて、前記画像に写された前記資材に類似する前記既製品を検索する画像検索処理を実行する第２サーバに対し、前記画像取得部において取得された前記画像に写された前記資材に類似する前記既製品の情報の提供を求める情報提供要求を送信し、前記情報提供要求に応答した前記第２サーバから、前記画像検索処理により検索された１以上の前記既製品の情報を取得する、
請求項１〜９のいずれか一項に記載の情報表示装置。
【請求項１１】
１以上のコンピュータを、請求項１〜１０のいずれか一項に記載の情報表示装置における前記処理部として機能させるためのプログラム。
【請求項１２】
１以上のコンピュータが実行する情報表示方法であって、
建築物を構成する資材の画像を撮影可能なカメラにより撮影された前記資材の画像を取得する第１ステップと、
前記第１ステップにおいて前記資材の画像が取得されると、取得された前記画像に基づいて、前記画像に写された前記資材に類似する１以上の既製品の情報を取得する第２ステップと、
前記画像に写された前記資材に類似する１以上の前記既製品の情報が前記第２ステップにおいて取得されると、当該１以上の既製品の情報を表示する第１既製品表示画面を生成し、ディスプレイにおいて表示する第３ステップと、
ユーザの指示を入力する入力部により、前記第１既製品表示画面において表示される１以上の前記既製品の中から１つの前記既製品を選択することを求める前記指示が入力されると、当該１つの既製品に関する詳細情報を取得する第４ステップと、
前記第４ステップにおいて前記詳細情報が取得されると、取得された前記詳細情報を表示する第２既製品表示画面を生成し、前記ディスプレイにおいて表示する第５ステップと、
前記第２既製品表示画面において１つの前記既製品の前記詳細情報を表示しているとき、当該１つの既製品を含む建築物の設計が可能な設計用ソフトウェアによって利用される設計用データであって、当該１つの既製品に関する情報を含んだ前記設計用データを登録することを求める前記指示が前記入力部により入力されると、前記設計用ソフトウェアを実行する第１サーバにアクセスし、設計プロジェクトごとに前記第１サーバが管理する前記設計用データのライブラリへ当該１つの既製品の前記設計用データを登録する処理を行う第１０ステップと
を有する情報表示方法。
【発明の詳細な説明】
【技術分野】
【０００１】
本発明は、情報表示装置、情報表示方法及びプログラムに関するものである。
【背景技術】
【０００２】
近年、ＡＩによる画像認識の精度が飛躍的に向上しており、インターネットにおける汎用的な画像検索サービスが広く一般的に利用されるようになってきている。
【発明の概要】
【発明が解決しようとする課題】
【０００３】
建築主や設計者、施工主は、建築の構想段階において、実物の建築物を参考にしながら、構想中の建築物に使用される資材を検討する場合がある。この場合、実際の建築物に使用される資材の情報を得ることができれば便利であり、その方法の１つとして、上述した画像検索サービスを利用することが考えられる。しかしながら、従来の汎用的な画像検索サービスでは、実際の建築物の画像を入手する手間や、入手した画像を画像検索サービスのウェブサイトにアップロードする手間などがかかることから、資材の情報を簡単に得ることができないという問題がある。
【０００４】
本発明はかかる事情に鑑みてなされたものであり、その目的は、建築物を構成する資材に関する情報を簡易な操作で表示できる情報表示装置、情報表示方法及びプログラムを提供することにある。
【課題を解決するための手段】
【０００５】
本発明の第１の観点に係る情報表示装置は、建築物を構成する資材を撮影可能なカメラと、ディスプレイと、処理部と、ユーザの指示を入力する入力部とを有し、前記処理部は、前記カメラにより撮影された前記資材の画像を取得する画像取得部と、前記画像取得部において前記資材の画像が取得されると、取得された前記画像に基づいて、前記画像に写された前記資材に類似する１以上の既製品の情報を取得する情報取得部と、前記ディスプレイにおいて表示する画面を生成する表示処理部とを含む。前記表示処理部は、前記画像に写された前記資材に類似する１以上の前記既製品の情報が前記情報取得部において取得されると、当該１以上の既製品の情報を表示する第１既製品表示画面を生成する。前記情報取得部は、前記第１既製品表示画面において表示される１以上の前記既製品の中から１つの前記既製品を選択することを求める前記指示が入力されると、当該１つの既製品に関する詳細情報を取得し、前記表示処理部は、前記情報取得部において前記詳細情報が取得されると、取得された前記詳細情報を表示する第２既製品表示画面を生成し、前記処理部は、前記第２既製品表示画面において１つの前記既製品の前記詳細情報を表示しているとき、当該１つの既製品を含む建築物の設計が可能な設計用ソフトウェアによって利用される設計用データであって、当該１つの既製品に関する情報を含んだ前記設計用データを登録することを求める前記指示が入力されると、前記設計用ソフトウェアを実行する第１サーバにアクセスし、設計プロジェクトごとに前記第１サーバが管理する前記設計用データのライブラリへ当該１つの既製品の前記設計用データを登録する処理を行う設計用データ登録部を含む。
【０００６】
この構成によれば、前記資材を前記カメラで撮影するだけの簡単な操作により、前記カメラで撮影された前記資材に類似する１以上の前記既製品の情報が前記ディスプレイに表示される。
【０００７】
本発明の第２の観点に係るプログラムは、１以上のコンピュータを、上記第１の観点に係る情報表示装置における前記処理部として機能させる。
【０００８】
本発明の第３の観点に係る情報表示方法は、１以上のコンピュータが実行する情報表示方法であって、建築物を構成する資材の画像を撮影可能なカメラにより撮影された前記資材の画像を取得する第１ステップと、前記第１ステップにおいて前記資材の画像が取得されると、取得された前記画像に基づいて、前記画像に写された前記資材に類似する１以上の既製品の情報を取得する第２ステップと、前記画像に写された前記資材に類似する１以上の前記既製品の情報が前記第１ステップにおいて取得されると、当該１以上の既製品の情報を表示する第１既製品表示画面を生成し、ディスプレイにおいて表示する第３ステップと、ユーザの指示を入力する入力部により、前記第１既製品表示画面において表示される１以上の前記既製品の中から１つの前記既製品を選択することを求める前記指示が入力されると、当該１つの既製品に関する詳細情報を取得する第４ステップと、前記第４ステップにおいて前記詳細情報が取得されると、取得された前記詳細情報を表示する第２既製品表示画面を生成し、前記ディスプレイにおいて表示する第５ステップと、前記第２既製品表示画面において１つの前記既製品の前記詳細情報を表示しているとき、当該１つの既製品を含む建築物の設計が可能な設計用ソフトウェアによって利用される設計用データであって、当該１つの既製品に関する情報を含んだ前記設計用データを登録することを求める前記指示が前記入力部により入力されると、前記設計用ソフトウェアを実行する第１サーバにアクセスし、設計プロジェクトごとに前記第１サーバが管理する前記設計用データのライブラリへ当該１つの既製品の前記設計用データを登録する処理を行う第１０ステップとを有する。
【発明の効果】
【０００９】
本発明によれば、建築物を構成する資材に関する情報を簡易な操作で表示することが可能な情報表示装置、情報表示方法及びプログラムを提供できる。
【図面の簡単な説明】
【００１０】
【図１】図１は、本実施形態に係る情報表示装置の構成の一例を示す図である。
【図２】図２は、初期画面、検索結果表示画面及び詳細表示画面の一例を示す図である。
【図３】図３は、お気に入り一覧表示画面及び閲覧履歴表示画面の一例を示す図である。
【図４】図４は、ＢＩＭ登録画面の一例を示す図である。
【図５】図５は、検索結果表示画面を表示する処理の一例を説明するためのフローチャートである。
【図６】図６は、詳細表示画面を表示する処理の一例を説明するためのフローチャートである。
【図７】図７は、お気に入り一覧表示画面を表示する処理の一例を説明するためのフローチャートである。
【図８】図８は、閲覧履歴表示画面を表示する処理の一例を説明するためのフローチャートである。
【図９】図９は、既製品のＢＩＭコンテンツを登録する処理の一例を説明するためのフローチャートである。
【図１０】図１０は、閲覧履歴表示画面の一変形例を示す図である。
【図１１】図１１は、検索結果表示画面を表示する処理の一変形例を説明するためのフローチャートである。
【発明を実施するための形態】
【００１１】
図１は、本実施形態に係る情報表示装置１０の構成の一例を示す図である。情報表示装置１０は、例えば携帯機器（スマートフォン、タブレット、ノートＰＣなど）であり、カメラ１４０とディスプレイ１２０を備える。建築物を構成する資材の画像をカメラ１４０で撮影すると、情報表示装置１０は、撮影した画像をインターネットなどのネットワーク９を介して既製品情報提供サーバ２０に送信する。既製品情報提供サーバ２０は、情報表示装置１０から受信した画像に基づいて、画像に写された資材と類似している既製品を検索し、検索により見つかった１以上の既製品の情報を情報表示装置１０に送信する。情報表示装置１０は、既製品情報提供サーバ２０から受信した１以上の既製品の情報をディスプレイ１２０に表示する。これにより、実物の資材をカメラ１４０で撮影するだけの簡単な操作により、撮影した資材に類似する既製品の情報を表示することが可能となる。
【００１２】
なお、本明細書において説明する「建築物を構成する資材」には、建物の本体部分に関する物だけでなく、建物に設置される付帯設備、内装材、外装材、建物内に配置される備品、家具なども含まれる。
【００１３】
図１に示す情報表示装置１０は、通信部１１０と、ディスプレイ１２０と、入力部１３０と、カメラ１４０と、インターフェース部１５０と、測位部１５５と、記憶部１６０と、処理部１７０とを有する。
【００１４】
通信部１１０は、ネットワーク９を介して他の装置（後述する既製品情報提供サーバ２０、ＢＩＭコンテンツ提供サーバ２３など）と通信を行う。通信部１１０は、例えばＬＴＥ（Long Term Evolution）や無線ＬＡＮなどの所定の通信規格に準拠して通信を行うネットワークインターフェース装置を含む。
【００１５】
ディスプレイ１２０は、処理部１７０から入力される画像データに応じた画像を表示する装置であり、例えば液晶ディスプレイや有機ＥＬディスプレイなどを含む。
【００１６】
入力部１３０は、ユーザの指示を入力する装置であり、例えばタッチパネル、タッチパッド、キーボード、マウス、ボタンなどの入力装置を含む。
【００１７】
カメラ１４０は、画像を撮像する装置であり、ＣＭＯＳイメージセンサなどの撮像素子、被写体の光を撮像素子へ導く光学系、撮像素子において撮像した画像を処理する画像処理装置などを含む。
【００１８】
インターフェース部１５０は、処理部１７０において種々のデータを入出力するための装置であり、例えば、記録媒体（メモリカードなど）のリーダーライター装置や、ＵＳＢコントローラなどの汎用的なインターフェース装置を含む。
【００１９】
測位部１５５は、情報表示装置１０の地理的な位置に関する位置情報を取得する。例えば測位部１５５は、ＧＮＳＳ（Global Navigation Satellite System）の測位衛星からの信号を受信して位置情報を算出する。また、測位部１５５は、移動体通信網の基地局からの無線信号に基づいて位置情報を算出してもよい。
【００２０】
記憶部１６０は、処理部１７０のプロセッサによって実行されるプログラムを記憶するとともに、処理部１７０による処理の実行過程で一時的に保存が必要となるデータや、処理を実行するために繰り返し使用されるデータ、処理の実行結果として得られるデータなどを記憶する。例えば記憶部１６０は、主記憶装置（ＲＯＭ、ＲＡＭなど）と補助記憶装置（フラッシュメモリ、ハードディスク、光ディスクなど）を含む。記憶部１６０は、１つの記憶装置から構成されてもよいし、１種類以上の複数の記憶装置から構成されてもよい。記憶部１６０を構成する記憶装置は、コンピュータのバスや他のデータ転送手段を介して処理部１７０と接続される。
【００２１】
処理部１７０は、情報表示装置１０の全体的な動作を司る装置であり、カメラ１４０で撮影された資材に類似する既製品の情報を表示する処理（以下、「情報表示処理」と記す場合がある。）などを実行する。例えば処理部１７０は、記憶部１６０に格納された１以上のプログラム１６１に従って処理を実行する１以上のプロセッサ（ＣＰＵ，ＭＰＵなど）を含む。記憶部１６０に格納される１以上のプログラム１６１を１以上のプロセッサが実行することにより、処理部１７０は１以上のコンピュータとして動作する。
【００２２】
処理部１７０において実行されるプログラムは、インターフェース部１５０において非一時的な有形媒体（ＵＳＢメモリ、メモリーカード、光ディスクなど）から読み出されたものでもよいし、通信部１１０を介して他の装置（アプリ提供サーバなど）からダウンロードされたものでもよい。
【００２３】
なお、処理部１７０は、特定の機能を実現するように構成された１以上の専用のハードウェア（ＡＳＩＣ、ＦＰＧＡなど）を含んでもよい。この場合、処理部１７０は、全ての処理を上述した１以上のコンピュータにおいて実行してもよいし、少なくとも一部の処理を専用のハードウェアにおいて実行してもよい。
【００２４】
処理部１７０は、上述した情報表示処理の実行に関連する構成要素として、画像取得部１７１と、情報取得部１７２と、表示処理部１７３と、既製品情報記録部１７４と、履歴記録部１７５と、設計用データ登録部１７６とを有する。
【００２５】
［画像取得部１７１］
画像取得部１７１は、カメラ１４０により撮影された画像（以下、「撮影画像」と記す場合がある。）を取得する処理を行う。例えば、画像取得部１７１は、後述する検索結果表示画面４０（図２）を表示する場合、カメラ１４０の撮影画像を周期的に取得する。
【００２６】
［情報取得部１７２］
情報取得部１７２は、画像取得部１７１において撮影画像が取得されると、取得された撮影画像に基づいて、撮影画像に写された資材（建築物を構成する資材）に類似する１以上の既製品の情報を取得する。例えば情報取得部１７２は、画像取得部１７１において撮影画像が周期的に取得される度に、取得された撮影画像に基づいて、撮影画像に写された資材に類似する１以上の既製品の情報を取得する。
【００２７】
例えば情報取得部１７２は、撮影画像に写された資材に類似する１以上の既製品の情報を、既製品情報提供サーバ２０（図１）から取得する。
【００２８】
既製品情報提供サーバ２０は、与えられた撮影画像に基づいて、撮影画像に写された資材に類似する既製品を検索する画像検索処理を実行する。既製品情報提供サーバ２０は、画像検索処理により見つかった既製品（撮影画像に写された資材に類似する既製品）の情報を、情報表示装置１０に提供する。例えば既製品情報提供サーバ２０は、様々な既製品の画像を深層学習などの手法により機械学習させることで構成された識別器を備える。既製品情報提供サーバ２０は、与えられた撮影画像に対する識別器の出力に基づいて、撮影画像に写された資材に類似する１以上の既製品を特定する。
【００２９】
例えば情報取得部１７２は、既製品情報提供サーバ２０に対し、撮影画像に写された資材に類似する既製品の情報の提供を求める情報提供要求を送信する。既製品情報提供サーバ２０は、情報表示装置１０から情報提供要求を受信すると、情報提供要求に含まれる撮影画像について画像検索処理を行い、撮影画像に写された資材に類似する１以上の既製品を特定する。そして既製品情報提供サーバ２０は、特定した既製品の情報（メーカー名、型名、単価など）を情報表示装置１０に送信する。情報取得部１７２は、情報提供要求に応答した既製品情報提供サーバ２０から、画像検索処理により検索された１以上の既製品の情報を取得する。
【００３０】
なお、情報取得部１７２は、既製品情報提供サーバ２０に送信する情報提供要求において、情報提供を求める既製品の検索範囲を指定してもよい。例えば情報取得部１７２は、情報提供要求において、既製品が属する製品カテゴリーや、製造者、単価、発売開始日などに関する条件を検索範囲として指定する。この場合、既製品情報提供サーバ２０は、情報提供要求に含まれる検索範囲の指定に従って画像検索処理を行い、１以上の既製品を特定する。
【００３１】
また、撮影画像に含まれる資材に類似した１以上の既製品について情報取得部１７２が取得する情報には、当該１以上の既製品の各々と資材との類似の度合いを示す類似度が含まれていてもよい。類似度の算出には、画像同士の類似度を算出する既知の手法を用いることができる。例えば、既製品情報提供サーバ２０は、撮影画像について識別器により得られる特徴データ（撮影画像の特徴を示すデータ）と、既製品のサンプル画像について識別器により得られる特徴データとに基づいて類似度を算出する。識別器が多層ニューラルネットワークを含む場合、既製品情報提供サーバ２０は、多層ニューラルネットワークの中間層などから多次元の特徴データを抽出してもよい。この場合、既製品情報提供サーバ２０は、撮影画像について得られる多次元の特徴データと既製品の画像について得られる多次元の特徴データとの相関係数などに基づいて、両者の類似度を算出してもよい。
【００３２】
情報取得部１７２は、後述する検索結果表示画面４０（図２）において表示される１以上の既製品の中から１つの既製品を選択することを求めるユーザの指示が入力部１３０により入力されると、当該１つの既製品に関する詳細情報を取得する。例えば情報取得部１７２は、ユーザの指示により選択された既製品の詳細情報の提供を要求する情報提供要求を既製品情報提供サーバ２０に対して送信し、この情報提供要求に応答した既製品情報提供サーバ２０から、選択された既製品の詳細情報を取得する。
【００３３】
情報取得部１７２は、後述するお気に入り一覧表示画面６０（図３）において既製品の一覧（お気に入りの一覧）を表示しているとき、この一覧に含まれる１つの既製品を選択することを求めるユーザの指示が入力部１３０により入力されると、当該１つの既製品について後述の既製品情報記録部１７４により記録された詳細情報を取得するか、又は、当該１つの既製品について既製品情報記録部１７４により記録された参照情報（詳細情報を取得するために参照される情報）に基づいて詳細情報を取得する。
【００３４】
［表示処理部１７３］
表示処理部１７３は、ディスプレイ１２０において表示する画面（検索結果表示画面４０、詳細表示画面５０、お気に入り一覧表示画面６０、閲覧履歴表示画面７０など）を生成する処理を行う。
【００３５】
表示処理部１７３は、撮影画像に写された資材に類似する１以上の既製品の情報が情報取得部１７２において取得されると、当該１以上の既製品の情報を表示する検索結果表示画面４０（図２）を生成する。検索結果表示画面４０は、本発明における第１既製品表示画面の一例である。
【００３６】
表示処理部１７３は、１以上の既製品の情報を表示する検索結果表示画面４０（図２）を生成する場合、当該１以上の既製品の各々について既製品情報記録部１７４による情報の記録（お気に入りの記録）が行われているか否かを検索結果表示画面４０（図２）において表示する。後述する検索結果表示画面４０（図２）におけるマーク４３１は、既製品情報記録部１７４による情報の記録（お気に入りの記録）が行われていることを示す。
【００３７】
表示処理部１７３は、検索結果表示画面４０（図２）において、撮影画像に含まれる資材に類似した複数の既製品の情報（領域４１１〜４１３に示される情報）を、類似度（図形４２１〜４２３に示される数値）に応じた順に並べて表示する。
【００３８】
表示処理部１７３は、情報取得部１７２において１以上の既製品の情報が反復的に取得されることに応じて、検索結果表示画面４０（図２）を反復的に生成する。ユーザの操作によりカメラ１４０の撮影対象が変化する場合でも、検索結果表示画面４０（図２）が反復的に更新されることにより、変化する撮影対象に応じた既製品の情報をディスプレイ１２０に表示することができる。
【００３９】
表示処理部１７３は、検索結果表示画面４０（図２）やお気に入り一覧表示画面６０（図３）を表示しているとき、入力部１３０から入力されるユーザの指示に応じて情報取得部１７２により既製品の詳細情報が取得されると、取得された詳細情報を表示する詳細表示画面５０（図２）を生成する。詳細表示画面５０は、本発明における第２既製品表示画面の一例である。
【００４０】
表示処理部１７３は、後述の既製品情報記録部１７４により記録された既製品の一覧（お気に入りの一覧）を表示することを求めるユーザの指示が入力部１３０により入力されると、記録された既製品の一覧を表示するお気に入り一覧表示画面６０（図３）を生成する。お気に入り一覧表示画面６０は、本発明における一覧表示画面の一例である。
【００４１】
表示処理部１７３は、後述の履歴記録部１７５により記録された履歴情報（詳細表示画面５０における既製品の詳細情報の表示履歴に関する情報）の閲覧を求めるユーザ指示が入力部１３０により入力されると、記録された履歴情報を表示する閲覧履歴表示画面７０（図３）を生成する。閲覧履歴表示画面７０は、本発明における履歴表示画面の一例である。
【００４２】
［既製品情報記録部１７４］
既製品情報記録部１７４は、詳細表示画面５０（図２）において１つの既製品の詳細情報を表示しているとき、当該１つの既製品に関する情報（お気に入りの情報）を記録することを求めるユーザの指示が入力部１３０により入力されると、当該１つの既製品の詳細情報又は詳細情報を取得するための参照情報を記録する。例えば既製品情報記録部１７４は、既製品の詳細情報自体を記録してもよいし、既製品の詳細情報を既製品情報提供サーバ２０に対して要求する際に必要となる情報（既製品に割り当てられた識別コード、既製品の詳細情報をダウンロード可能なウェブサイトのＵＲＬなど）を参照情報として記録してもよい。既製品情報記録部１７４は、これらの情報を記憶部１６０に格納してもよいし、既製品情報提供サーバ２０において情報表示装置１０のユーザのアカウントごとに割り当てられた記憶領域に格納してもよい。
【００４３】
［履歴記録部１７５］
履歴記録部１７５は、詳細表示画面５０（図２）において既製品の詳細情報を表示した履歴に関する履歴情報を記録する処理を行う。履歴記録部１７５は、詳細表示画面５０（図２）において１つの既製品の詳細情報が表示される度に、詳細情報が表示された日付と、当該１つの既製品を示す情報（メーカー名、型番など）とを含んだ履歴情報を記録する。履歴記録部１７５は、履歴情報を記憶部１６０に格納してもよいし、既製品情報提供サーバ２０において情報表示装置１０のユーザのアカウントごとに割り当てられた記憶領域に格納してもよい。
【００４４】
また、履歴記録部１７５は、測位部１５５により取得された位置情報を含む履歴情報を記録する。すなわち、履歴記録部１７５は、検索結果表示画面４０（図２）において表示される１以上の既製品の中からユーザの指示により選択された１つの既製品の詳細情報を詳細表示画面５０（図２）において表示した場合、当該１以上の既製品に類似する資材をカメラ１４０が撮影した際に測位部１５５で取得された位置情報を、履歴情報に含まれる情報として記録する。閲覧履歴表示画面７０には、この位置情報も含まれる。
【００４５】
［設計用データ登録部１７６］
設計用データ登録部１７６は、既製品を含んだ建築物を設計用ソフトウェアにおいて設計する場合に、その既製品に関して設計用ソフトウェアに利用される情報を含んだ設計用データを、設計プロジェクトごとに管理された設計用データのライブラリに登録する処理を行う。この設計用ソフトウェアは、例えばＢＩＭ（Building Information Modeling）ソフトウェアであり、設計用データは、ＢＩＭソフトウェアにおいて建築物の構成要素として利用されるＢＩＭコンテンツである。ＢＩＭコンテンツには、３次元の形状に関する情報の他に、部品としての型番や、製品仕様、材質、性能、組み立て工程などの属性情報が含まれる。
【００４６】
設計用データ登録部１７６は、詳細表示画面５０（図２）において１つの既製品の詳細情報を表示しているとき、当該１つの既製品に関するＢＩＭコンテンツを登録することを求めるユーザの指示が入力部１３０において入力されると、ＢＩＭソフトウェアを実行するＢＩＭソフトウェアサーバ２５にアクセスし、設計プロジェクトごとにＢＩＭソフトウェアサーバ２５が管理するＢＩＭコンテンツのライブラリへ当該１つの既製品のＢＩＭコンテンツを登録する処理を行う。
【００４７】
例えば設計用データ登録部１７６は、詳細表示画面５０（図２）に表示された１つの既製品のＢＩＭコンテンツを登録するようにユーザの指示が入力されると、当該１つの既製品のＢＩＭコンテンツを提供可能なＢＩＭコンテンツ提供サーバ２３にアクセスする。既製品情報提供サーバ２０から提供される既製品の情報には、その既製品のＢＩＭコンテンツを提供可能なＢＩＭコンテンツ提供サーバ２３に関する情報（ＵＲＬなど）が含まれており、設計用データ登録部１７６は、この情報に基づいてＢＩＭコンテンツ提供サーバ２３にアクセスする。設計用データ登録部１７６は、ＢＩＭコンテンツ提供サーバ２３にアクセスすると、指示された既製品のＢＩＭコンテンツの提供を要求し、この要求に応答したＢＩＭコンテンツ提供サーバ２３から提供される既製品のＢＩＭコンテンツを、ＢＩＭソフトウェアサーバ２５が管理する所定のＢＩＭコンテンツ用ライブラリへ登録する。
【００４８】
ここで、上述した情報表示装置１０においてディスプレイ１２０に表示される画面の例について、図２〜図４を参照して説明する。図２は、初期画面３０、検索結果表示画面４０及び詳細表示画面５０の一例を示し、図３は、お気に入り一覧表示画面６０及び閲覧履歴表示画面７０の一例を示し、図４は、ＢＩＭ登録画面８０の一例を示す。図２〜図４の例において、ディスプレイ１２０は入力部１３０と組み合わされたタッチパネルであり、画面に対するタッチ操作をユーザの指示として入力する。
【００４９】
［初期画面３０］
図２の左上側に示す初期画面３０は、情報表示装置１０において情報表示処理を実行した際に表示される画面である。初期画面３０の下側には、閲覧履歴表示画面７０（図３）を表示する処理へ移行するためのボタン３０１と、検索結果表示画面４０（図２）を表示する処理へ移行するためのボタン３０２と、お気に入り一覧表示画面６０（図３）を表示する処理へ移行するためのボタン３０３が配置される。
【００５０】
［検索結果表示画面４０］
図２の右上側に示す検索結果表示画面４０は、初期画面３０のボタン３０２（図２）や、お気に入り一覧表示画面６０のボタン６０２（図３）、閲覧履歴表示画面７０のボタン７０２（図３）、ＢＩＭ登録画面８０のボタン８０２（図４）がタッチされた場合に表示される。検索結果表示画面４０の上側の領域には、カメラ１４０で撮影中の画像４３０がリアルタイムに表示される。画像４３０の下側には、それぞれ既製品の情報（メーカー名、型番、単価）を表示する３つの領域４１１〜４１３が縦に並んで配置される。この例において、既製品はカーペットである。３つの領域４１１〜４１３の横には、それぞれ類似度を表す図形４２１〜４２３が表示される。図形４２１〜４２３の中心に類似度の数値（パーセント）が配置され、数値の周りに円環形状のインジケータが配置される。円環形状のインジケータは、類似度が大きいほど閉じた円の形状に近づく。
【００５１】
検索結果表示画面４０に表示される３つの既製品の情報は、類似度に応じた順番で画面上に並んでいる。図２の例では、類似度が最も大きい既製品の情報が最も上側の領域４１１に表示され、２番目に類似度が大きい既製品の情報が上から２番目の領域４１２に表示され、最も類似度が小さい既製品の情報が最も下側の領域４１３に表示される。
【００５２】
領域４１１を表す矩形の枠の右上隅に配置された白い三角形のマーク４３１は、既製品情報記録部１７４による情報の記録（お気に入りの記録）が行われていることを示すマークである。このマーク４３１が付された領域４１１の既製品（メーカーＡ製の型番ａａａａ）は、お気に入りとして記録されており、後述するお気に入り一覧表示画面６０において表示される。一方、マーク４３１が付されていない領域４１２及び４１３の既製品（メーカーＢ製の型番ｂｂｂ、メーカーＣ製の型番ｃｃｃｃ）は、お気に入りとして情報が記録されていないため、お気に入り一覧表示画面６０に含まれていない。
【００５３】
領域４１１及び４１３を表す矩形の枠の左上隅に配置された黒い三角形のマーク４３２は、詳細情報の更新を示すマークであり、例えば所定期間内に詳細情報が更新された場合や、所定期間内に詳細情報が新しく登録された場合にこのマークが表示される。図２の例では、領域４１１及び４１３に表示される既製品（メーカーＡ製の型番ａａａａ、メーカーＢ製の型番ｂｂｂ）の詳細情報が更新若しくは新規登録されている。
【００５４】
検索結果表示画面４０の下側には、閲覧履歴表示画面７０（図３）を表示する処理へ移行するためのボタン４０１と、お気に入り一覧表示画面６０（図３）を表示する処理へ移行するためのボタン４０３が配置される。検索結果表示画面４０における領域４１１〜４１３の上側には、検索範囲を設定するためのボタン４０４が配置される。
【００５５】
［詳細表示画面５０］
図２の左下側に示す詳細表示画面５０は、検索結果表示画面４０の領域４１１がタッチされた場合に表示される画面であり、メーカーＡ製の型番ａａａａの既製品に関する詳細情報を示す。他方、図２の右下側に示す詳細表示画面５０は、検索結果表示画面４０の領域４１２がタッチされた場合に表示される画面であり、メーカーＢ製の型番ｂｂｂｂの既製品に関する詳細情報を示す。
【００５６】
詳細表示画面５０の上側の領域には、既製品のサンプル画像５２０が表示され、サンプル画像５２０の下側の領域５１１には、既製品に関する詳細なテキストの情報が表示される。領域５１１の更に下側には、カタログサイトへ移行するためのボタン５０１と、設計用データ登録部１７６による設計データの登録を実行するためのボタン５０２と、既製品情報記録部１７４による情報の記録（お気に入りの記録）を実行するためのボタン５０３と、ＳＮＳへの記事の投稿を実行するためのボタン５０４とが配置される。サンプル画像５２０の左上隅には、詳細表示画面５０の表示を終了して検索結果表示画面４０に戻るためのボタン５０５が表示される。
【００５７】
詳細表示画面５０のボタン５０１がタッチされると、処理部１７０は、詳細表示画面５０に表示中の既製品のカタログを閲覧することができるウェブサイトにアクセスし、該当するカタログをディスプレイ１２０に表示する。
詳細表示画面５０のボタン５０２がタッチされると、設計用データ登録部１７６は、詳細表示画面５０に表示された既製品のＢＩＭコンテンツを所定のライブラリに登録する処理を行う。この場合、情報取得部１７２は、後述するＢＩＭ登録画面８０（図４）を生成してディスプレイ１２０に表示する。
詳細表示画面５０のボタン５０３がタッチされると、既製品情報記録部１７４は、詳細表示画面５０に表示された既製品に関する情報をお気に入りの情報として記録する。
詳細表示画面５０のボタン５０４がタッチされると、処理部１７０は、予め設定されたＳＮＳのアカウント情報によってＳＮＳを提供するサーバにログインし、詳細表示画面５０に表示された既製品の情報をタイムラインなどに投稿する処理を行う。
【００５８】
なお、検索結果表示画面４０の領域４１１のマーク４３１が表すように、メーカーＡ製の型番ａａａａの既製品はお気に入りとして記録済であるため、図２の左下側に示す詳細表示画面５０にはボタン５０３が表示されない。
また、図２の右下側において示す数字は、この詳細表示画面５０に表示された既製品をお気に入りとして記録しているユーザの人数を表す。この情報は、例えば既製品情報提供サーバ２０において管理されており、既製品の詳細情報とともに既製品情報提供サーバ２０から提供される。
【００５９】
［お気に入り一覧表示画面６０］
図３の上側に示すお気に入り一覧表示画面６０は、初期画面３０のボタン３０３（図２）や、検索結果表示画面４０のボタン４０３（図２）や、閲覧履歴表示画面７０のボタン７０３（図３）や、ＢＩＭ登録画面８０のボタン８０３（図４）がタッチされた場合に表示される。図３に示すお気に入り一覧表示画面６０では、既製品情報記録部１７４によりお気に入りとして記録された既製品の情報（サンプル画像、メーカー名、型番、単価）が、記録された順番で縦方向に配列される。領域６１１には今日記録された既製品の情報が表示され、領域６１１の下側の領域６１２には２０１９年９月１５日に記録された既製品の情報が表示され、領域６１２の下側の領域６１３には２０１９年９月３日に記録された既製品の情報が表示される。
【００６０】
お気に入り一覧表示画面６０の左上隅には、前の画面に戻るためのボタン６０４が配置される。お気に入り一覧表示画面６の下側には、閲覧履歴表示画面７０（図３）を表示する処理へ移行するためのボタン６０１と、検索結果表示画面４０（図２）を表示する処理へ移行するためのボタン６０２とが配置される。
【００６１】
［閲覧履歴表示画面７０］
図３の下側に示す閲覧履歴表示画面７０は、初期画面３０のボタン３０１（図２）や、検索結果表示画面４０のボタン４０１（図２）や、お気に入り一覧表示画面６０のボタン６０１（図３）や、ＢＩＭ登録画面８０のボタン８０１（図４）がタッチされた場合に表示される。図３に示す閲覧履歴表示画面７０では、詳細表示画面５０において詳細情報が閲覧された既製品の情報（サンプル画像、メーカー名、型番、単価）が、閲覧された日付の順番で縦方向に配列される。領域７１１には、今日の日付で詳細情報が閲覧された既製品の情報が表示され、領域７１１の下側の領域７１２には、２０１９年９月１５日に詳細情報が閲覧された既製品の情報が表示される。
【００６２】
また領域７１１，７１２における各既製品の情報の左上隅には、測位部１５５により取得された位置情報が表示される。この位置情報は、詳細表示画面５０において詳細情報が閲覧された既製品に類似する資材をカメラ１４０で撮影した場所（すなわち、資材の現物が存在する場所）の情報を示す。図３の例では、位置情報として、都道府県名と市区町村名が表示されている。
【００６３】
閲覧履歴表示画面７０の左上隅には、前の画面に戻るためのボタン７０４が配置される。閲覧履歴表示画面７０の下側には、検索結果表示画面４０（図２）を表示する処理へ移行するためのボタン７０２と、お気に入り一覧表示画面６０（図３）を表示する処理へ移行するためのボタン７０３が配置される。
【００６４】
［ＢＩＭ登録画面８０］
図４に示すＢＩＭ登録画面８０は、詳細表示画面５０のボタン５０２がタッチされた場合に表示される。ＢＩＭ登録画面８０の上側の領域８１１には、ＢＩＭコンテンツの登録を希望する既製品の情報（サンプル画像、メーカー名、型番、単価）が表示される。領域８１１の下側の領域８１２には、ＢＩＭコンテンツの登録先として予め設定されたＢＩＭコンテンツ用ライブラリの一覧が表示される。図４の例では、３つのＢＩＭコンテンツ用ライブラリの情報（設計プロジェクトの名称、ＢＩＭコンテンツ用ライブラリの名称）が縦方向に並んで表示される。領域８１２に表示された３つのＢＩＭコンテンツ用ライブラリの横には、各ＢＩＭコンテンツ用ライブラリを登録先として指定するか否か設定するためのラジオボタン８０７〜８０８が配置される。ＢＩＭ登録画面８０の右上隅に配置されたボタン８０５がタッチされると、設計用データ登録部１７６は、ラジオボタン（８０７〜８０８）により登録先として指定されたＢＩＭコンテンツ用ライブラリに対して、領域８１１に表示される既製品のＢＩＭコンテンツを登録する。
【００６５】
ＢＩＭ登録画面８０の右下側には、領域８２２に表示される登録先のＢＩＭコンテンツ用ライブラリを追加するためのボタン８０６が配置される。このボタン８０６がタッチされると、ＢＩＭコンテンツ用ライブラリを新規に登録するための情報を入力する画面がディスプレイ１２０に表示される。
【００６６】
ＢＩＭ登録画面８０の左上隅には、前の画面に戻るためのボタン８０４が配置される。ＢＩＭ登録画面８０の下側には、閲覧履歴表示画面７０（図３）を表示する処理へ移行するためのボタン８０１と、検索結果表示画面４０（図２）を表示する処理へ移行するためのボタン８０２と、お気に入り一覧表示画面６０（図３）を表示する処理へ移行するためのボタン８０３が配置される。
【００６７】
次に、上述した情報表示装置１０における情報表示処理の一例について、図５〜図９のフローチャートを参照して説明する。
【００６８】
図５は、検索結果表示画面４０（図２）を表示する処理の一例を説明するためのフローチャートである。
検索結果表示画面４０を表示している間、処理部１７０は、図５のフローチャートに示す処理（ＳＴ１００〜ＳＴ１７０）を反復する。
【００６９】
画像取得部１７１は、カメラ１４０で撮影された画像を取得する（ＳＴ１００）。表示処理部１７３は、画像取得部１７１で取得された画像を表示するように検索結果表示画面４０を更新する。
【００７０】
情報取得部１７２は、既製品の情報を取得すべき周期的なタイミング（例えば０．５秒間隔のタイミング）が到来したか判定する（ＳＴ１０５）。周期的なタイミングが到来した場合（ＳＴ１０５のＹｅｓ）、情報取得部１７２は、ステップＳＴ１００で取得された撮影画像に基づいて、撮影画像に写された資材に類似する１以上の既製品の情報を取得する（ＳＴ１１５）。例えば情報取得部１７２は、既製品情報提供サーバ２０に対して、撮影画像に写された資材に類似する既製品の情報の提供を求める情報提供要求を送信し、この情報提供要求に応答した既製品情報提供サーバ２０から、撮影画像に基づく画像検索処理の検索結果として抽出された１以上の既製品の情報を取得する。なお、既製品情報提供サーバ２０から情報を提供される既製品の数は、所定数（例えば３つ）に決められていてもよい。
【００７１】
撮影画像に写された資材に類似する既製品の情報を情報取得部１７２が取得した場合、測位部１５５は位置情報を取得して記憶部１６０に格納する。この位置情報は、既製品の詳細表示画面５０が表示された場合に、当該既製品の履歴情報の一部として履歴記録部１７５により記録される。
【００７２】
ステップＳＴ１１５において既製品の情報が取得されると、表示処理部１７３は、検索結果表示画面４０に表示させる検索結果を更新すべき周期的なタイミング（例えば２秒間隔のタイミング）が到来したか判定する（ＳＴ１２０）。周期的なタイミングが到来した場合（ＳＴ１２０のＹｅｓ）、表示処理部１７３は、周期的なタイミングが到来するまでの一定期間内にステップＳＴ１１５で取得された既製品の情報に基づいて、１以上の既製品の情報を表示する検索結果表示画面４０（図２）を生成する（ＳＴ１２５）。例えば表示処理部１７３は、周期的なタイミングが到来するまでの一定期間内にステップＳＴ１１５で情報が取得された既製品の中から、類似度が相対的に大きい所定数の既製品を選択し、選択した所定数の既製品の情報を表示するように検索結果表示画面４０を更新する。
【００７３】
また、検索結果表示画面４０を表示している間、処理部１７０は、入力部１３０に対するユーザの入力操作として、検索結果表示画面４０に配置されたボタンなどに対するタッチ操作を監視する（ＳＴ１３０、ＳＴ１４０、ＳＴ１５０、ＳＴ１６０）。
【００７４】
検索結果表示画面４０において検索範囲を設定するボタン４０４がタッチされると（ＳＴ１３０のＹｅｓ）、処理部１７０は、既製品の検索範囲に関する条件（製品カテゴリー、製造者、単価、発売日など）をユーザが入力するように促す画面をディスプレイ１２０に表示する。処理部１７０は、この画面の表示に従って入力された検索範囲の情報を記憶部１６０に格納する（ＳＴ１３５）。ステップＳＴ１１５において既製品の情報を取得する場合、情報取得部１７２は、このステップＳＴ１３５において得られた検索範囲の情報を含む情報提供要求を既製品情報提供サーバ２０に送信する。
【００７５】
検索結果表示画面４０において既製品の情報を表示する領域４１１〜４１３のいずれかがタッチされたことを検出すると（ＳＴ１４０のＹｅｓ）、処理部１７０は、このタッチ操作により選択された既製品の詳細表示画面５０を表示する処理（図６）に移行する（ＳＴ１４５）。
【００７６】
検索結果表示画面４０においてボタン４０１がタッチされると（ＳＴ１５０のＹｅｓ）、処理部１７０は、閲覧履歴表示画面７０を表示する処理（図８）に移行する（ＳＴ１５５）。
【００７７】
検索結果表示画面４０においてボタン４０３がタッチされると（ＳＴ１６０のＹｅｓ）、処理部１７０は、お気に入り一覧表示画面６０を表示する処理（図７）に移行する（ＳＴ１６５）。
【００７８】
その他、情報表示処理を終了させる所定の指示が入力部１３０において入力されると（ＳＴ１７０のＹｅｓ）、処理部１７０は、所定の終了処理を実行して情報表示処理を終了する（ＳＴ１７５）。
【００７９】
なお、既製品の情報を取得する周期的なタイミング（ＳＴ１０５）と、検索結果表示画面４０を更新する周期的なタイミング（ＳＴ１２０）は同一でもよい。この場合、ステップＳＴ１２０を省略し、ステップＳＴ１１５に続けてステップＳＴ１２５を実行してもよい。
【００８０】
図６は、詳細表示画面５０（図２）を表示する処理の一例を説明するためのフローチャートである。
詳細表示画面５０を表示する処理に移行すると、情報取得部１７２は、ユーザの指示（図２の領域４１１〜４１３へのタッチ操作や、図３の領域６１１〜６１３へのタッチ操作）により選択された既製品の詳細情報を取得する（ＳＴ２００）。例えば情報取得部１７２は、ユーザの指示により選択された既製品の詳細情報の提供を要求する情報提供要求を既製品情報提供サーバ２０に対して送信し、この情報提供要求に応答した既製品情報提供サーバ２０から、選択された既製品の詳細情報を取得する。
【００８１】
なお、情報取得部１７２は、ユーザの指示により選択された既製品の詳細情報が既製品情報記録部１７４によって記録されている場合、この記録された詳細情報を取得してもよい。また、情報取得部１７２は、既製品の詳細情報を取得するための参照情報（既製品に割り当てられた識別コードなど）が既製品情報記録部１７４によって記録されている場合、この記録された参照情報に基づいて詳細情報を取得してもよい。
【００８２】
表示処理部１７３は、ステップＳＴ２００において既製品の詳細情報が取得されると、取得された詳細情報を表示する詳細表示画面５０を生成する（ＳＴ２０５）。詳細表示画面５０が生成されると、履歴記録部１７５は、詳細表示画面５０において既製品の詳細情報を表示した履歴に関する履歴情報を記録する（ＳＴ２１０）。例えば履歴記録部１７５は、既製品を示す情報（メーカー名、型番など）や、その既製品の詳細情報が表示された日付、既製品に類似する資材がカメラ１４０で撮影された場所の位置情報などを含んだ履歴情報を記録する。
【００８３】
詳細表示画面５０を表示している間、処理部１７０は、入力部１３０に対するユーザの入力操作として、詳細表示画面５０に配置されたボタンなどに対するタッチ操作を監視する（ＳＴ２１５、ＳＴ２２５、ＳＴ２３５、ＳＴ２４５、ＳＴ２５５）。詳細表示画面５０においてボタン５０１がタッチされると（ＳＴ２１５のＹｅｓ）、処理部１７０は、詳細表示画面５０に表示された既製品のカタログを閲覧することができるウェブサイトにアクセスし、該当するカタログをディスプレイ１２０に表示する（ＳＴ２２０）。詳細表示画面５０においてボタン５０２がタッチされると（ＳＴ２２５のＹｅｓ）、処理部１７０は、詳細表示画面５０に表示された既製品のＢＩＭコンテンツを所定のＢＩＭ用ライブラリに登録する処理（図９）に移行する（ＳＴ２３０）。詳細表示画面５０においてボタン５０３がタッチされると（ＳＴ２３５のＹｅｓ）、既製品情報記録部１７４は、詳細表示画面５０に表示された既製品に関する情報（既製品の詳細情報、又は、既製品の詳細情報を取得するための参照情報）をお気に入りの情報として記録する（ＳＴ２４０）。詳細表示画面５０においてボタン５０４がタッチされると（ＳＴ２４５のＹｅｓ）、処理部１７０は、予め設定されたＳＮＳのアカウント情報によってＳＮＳを提供するサーバにログインし、詳細表示画面５０に表示された既製品の情報をタイムラインなどに投稿する処理を行う（ＳＴ２５０）。詳細表示画面５０においてボタン５０５がタッチされると（ＳＴ２５５のＹｅｓ）、処理部１７０は、詳細表示画面５０を表示する処理を終了して、検索結果表示画面４０を表示する処理（図５）に戻る（ＳＴ２６０）。その他、情報表示処理を終了させる所定の指示が入力部１３０において入力されると（ＳＴ２６５のＹｅｓ）、処理部１７０は、所定の終了処理を実行して情報表示処理を終了する（ＳＴ２７０）。
【００８４】
図７は、お気に入り一覧表示画面６０（図３）を表示する処理の一例を説明するためのフローチャートである。
お気に入り一覧表示画面６０を表示する処理に移行すると、表示処理部１７３は、既製品情報記録部１７４により記録された既製品の一覧（お気に入りの一覧）を表示するお気に入り一覧表示画面６０を生成する（ＳＴ３００）。
【００８５】
お気に入り一覧表示画面６０を表示している間、処理部１７０は、入力部１３０に対するユーザの入力操作として、お気に入り一覧表示画面６０に配置されたボタンなどに対するタッチ操作を監視する（ＳＴ３０５、ＳＴ３１５、ＳＴ３２５）。お気に入り一覧表示画面６０において、既製品の一覧（お気に入りの一覧）に含まれる１つの既製品の表示領域（図３における領域６１１〜６１３など）がタッチされると、処理部１７０は、このタッチ操作により選択された既製品の詳細表示画面５０を表示する処理（図６）に移行する（ＳＴ３１０）。お気に入り一覧表示画面６０においてボタン６０１がタッチされると（ＳＴ３１５のＹｅｓ）、処理部１７０は、閲覧履歴表示画面７０を表示する処理（図８）に移行する（ＳＴ３２０）。お気に入り一覧表示画面６０においてボタン６０２がタッチされると（ＳＴ３２５のＹｅｓ）、処理部１７０は、検索結果表示画面４０を表示する処理（図５）に移行する（ＳＴ３３０）。その他、情報表示処理を終了させる所定の指示が入力部１３０において入力されると（ＳＴ３３５のＹｅｓ）、処理部１７０は、所定の終了処理を実行して情報表示処理を終了する（ＳＴ３４０）。
【００８６】
図８は、閲覧履歴表示画面７０（図３）を表示する処理の一例を説明するためのフローチャートである。
閲覧履歴表示画面７０を表示する処理に移行すると、表示処理部１７３は、履歴記録部１７５により記録された履歴情報を表示する閲覧履歴表示画面７０を生成する（ＳＴ４００）。
【００８７】
閲覧履歴表示画面７０を表示している間、処理部１７０は、入力部１３０に対するユーザの入力操作として、閲覧履歴表示画面７０に配置されたボタンなどに対するタッチ操作を監視する（ＳＴ４２０、ＳＴ４３０）。閲覧履歴表示画面７０においてボタン７０２がタッチされると（ＳＴ４２０のＹｅｓ）、処理部１７０は、検索結果表示画面４０を表示する処理（図５）に移行する（ＳＴ４２５）。閲覧履歴表示画面７０においてボタン７０３がタッチされると（ＳＴ４４０のＹｅｓ）、処理部１７０は、お気に入り一覧表示画面６０を表示する処理（図７）に移行する（ＳＴ４３５）。その他、情報表示処理を終了させる所定の指示が入力部１３０において入力されると（ＳＴ４４０のＹｅｓ）、処理部１７０は、所定の終了処理を実行して情報表示処理を終了する（ＳＴ４４５）。
【００８８】
図９は、既製品のＢＩＭコンテンツを所定のＢＩＭコンテンツ用ライブラリに登録する処理の一例を示すフローチャートである。
処理部１７０は、ユーザによって予め設定されたＢＩＭコンテンツの登録先（ＢＩＭコンテンツ用ライブラリ）の情報を取得する（ＳＴ５００）。ＢＩＭコンテンツの登録先の情報は、例えば情報表示装置１０の記憶部１６０や、既製品情報提供サーバ２０のユーザ用の記憶領域に保存される。表示処理部１７３は、設計用データ登録部１７６により取得されたＢＩＭコンテンツの登録先の情報と、ＢＩＭコンテンツの登録を希望する既製品の情報とに基づいて、ＢＩＭ登録画面８０（図４）を生成する（ＳＴ５０５）。
【００８９】
ＢＩＭ登録画面８０においてＢＩＭコンテンツの登録先を指定する操作（ラジオボタン８０７〜８０９をオンオフする操作など）が行われると（ＳＴ５１０のＹｅｓ）、設計用データ登録部１７６は、この操作により指定されたＢＩＭコンテンツの登録先の情報を取得する。また表示処理部１７３は、操作に応じてＢＩＭ登録画面８０を更新する（ＳＴ５１５）。
【００９０】
ＢＩＭ登録画面８０においてＢＩＭコンテンツの登録先の追加を指示する操作（ボタン８０６のタッチ操作）が行われると（ＳＴ５２０のＹｅｓ）、処理部１７０は、ＢＩＭコンテンツ用ライブラリを新規に登録するための処理を実行する（ＳＴ５２５）。表示処理部１７３は、この処理の結果に応じて、ＢＩＭ登録画面８０に表示する登録先の一覧を更新する。
【００９１】
ＢＩＭ登録画面８０においてＢＩＭコンテンツの登録の実行を指示する操作（ボタン８０５のタッチ操作）が行われると（ＳＴ５３０のＹｅｓ）、設計用データ登録部１７６は、ＢＩＭ登録画面８０において指定されたＢＩＭコンテンツ用ライブラリを管理するＢＩＭソフトウェアサーバ２５にアクセスし、ＢＩＭ登録画面８０において表示した既製品のＢＩＭコンテンツを、当該指定されたＢＩＭコンテンツ用ライブラリに登録する（ＳＴ５３５）。
【００９２】
ＢＩＭ登録画面８０においてボタン８０１がタッチされると（ＳＴ５４０のＹｅｓ）、処理部１７０は、閲覧履歴表示画面７０を表示する処理（図８）に移行する（ＳＴ５４５）。ＢＩＭ登録画面８０においてボタン８０２がタッチされると（ＳＴ５５０のＹｅｓ）、処理部１７０は、検索結果表示画面４０を表示する処理（図５）に移行する（ＳＴ５５５）。ＢＩＭ登録画面８０においてボタン８０３がタッチされると（ＳＴ５６０のＹｅｓ）、処理部１７０は、お気に入り一覧表示画面６０を表示する処理（図７）に移行する（ＳＴ５６５）。情報表示処理を終了させる所定の指示が入力部１３０において入力されると（ＳＴ５７０のＹｅｓ）、処理部１７０は、所定の終了処理を実行して情報表示処理を終了する（ＳＴ５７５）。
【００９３】
以上説明したように、本実施形態によれば、実物の建築物をカメラ１４０で撮影する簡易な操作によって、撮影した資材に類似する既製品の情報をディスプレイ１２０に表示させることが可能となる。これにより、建築物を構成する資材の既製品の情報を簡単に得ることができるため、建築物を設計する場合などにおいて資材の選定を容易に行うことが可能となる。
【００９４】
本実施形態によれば、カメラ１４０で撮影した資材に類似する既製品の詳細情報を簡易な操作で表示することが可能となり、ユーザの利便性を向上できる。
【００９５】
本実施形態によれば、カメラ１４０で撮影した資材に類似する既製品の情報をお気に入りとして記録し、記録した既製品の一覧（お気に入りの一覧）をディスプレイ１２０に表示させることができるとともに、記録した既製品の一覧（お気に入りの一覧）から任意に選択した既製品の詳細情報をディスプレイ１２０に表示することができる。これにより、資材の既製品の情報をユーザのニーズに合わせて整理して表示することができるため、ユーザの利便性を更に向上できる。
【００９６】
本実施形態によれば、ディスプレイ１２０において既製品の詳細情報を表示した履歴に関する履歴情報が記録されるとともに、ユーザの指示に応じてこの履歴情報がディスプレイ１２０に表示される。これにより、資材の既製品に関する情報を過去の詳細情報の表示履歴から簡単に見つけ出すことが可能となる。
【００９７】
本実施形態によれば、詳細情報が表示された既製品に類似する資材がカメラ１４０で撮影された場所の位置情報が閲覧履歴表示画面７０（図３）に表示されるため、既製品に類似する資材の現物がある場所を、後から容易に確認することができる。
【００９８】
本実施形態によれば、カメラ１４０で撮影した資材に類似する既製品の設計用データ（ＢＩＭコンテンツ）を所定のライブラリ（ＢＩＭコンテンツ用ライブラリ）へ簡易な操作により登録できるため、建築物の設計作業を効率化できる。
【００９９】
次に、上述した情報表示装置１０の変形例について説明する。
【０１００】
図１０は、閲覧履歴表示画面の一変形例を示す図である。図１０の上側に示す閲覧履歴表示画面７０Ａは、図３に示す閲覧履歴表示画面７０において各既製品の情報（サンプル画像、メーカー名、型番、単価）を表示する領域の左横に、それぞれプラスボタン７０５〜７０９を配置したものである。「メーカーＡ」の既製品の情報を表示する領域の左横にあるプラスボタン７０５がタッチされると、図１０の下側に示す閲覧履歴表示画面７０Ａのように、この「メーカーＡ」の既製品を検索結果表示画面４０において取得した際の撮影画像７２０が画面上に表示され、プラスボタン７０５がマイナスボタン７１０に置き換わる。マイナスボタン７１０がタッチされると、撮影画像７２０が画面上から消えて、図１０の上側に示す閲覧履歴表示画面７０Ａに戻る。
【０１０１】
本変形例における履歴記録部１７５は、画像取得部１７１により取得された撮影画像を含む履歴情報を記録する。すなわち、履歴記録部１７５は、検索結果表示画面４０（図２）において表示される１以上の既製品の中からユーザの指示により選択された１つの既製品の詳細情報を詳細表示画面５０（図２）において表示した場合に、当該１以上の既製品に類似する資材を写した撮影画像を含む履歴情報を記録する。表示処理部１７３は、履歴情報中の撮影画像の閲覧を求める指示（図１０のプラスボタン７０５〜７０９をタッチする操作）が入力されると、撮影画像を含んだ閲覧履歴表示画面７０Ａ（図１０の下側）を生成する。
【０１０２】
本変形例によれば、閲覧履歴表示画面７０Ａに撮影画像を表示できるため、類似する既製品の情報を取得するために撮影した実物の資材の画像を後から容易に確認することができる。これにより、例えば、実物の資材に対してより類似した最新の既製品を後から探すことが可能になる。
【０１０３】
図１１は、検索結果表示画面４０（図２）を表示する処理の一変形例を説明するためのフローチャートである。
図１１に示すフローチャートは、図５に示すフローにおけるステップＳＴ１０５をステップＳＴ１１０に置換し、ステップＳＴ１２０を削除し、ステップＳＴ１２５をステップＳＴ１１５に続けて実行するようにしたものであり、他のステップは図５に示すフローチャートと同じである。
【０１０４】
この変形例において、情報取得部１７２は、撮影画像に写された資材に類似する１以上の既製品の情報を取得するように求めるユーザの指示が入力部１３０において入力されたか判定する（ＳＴ１１０）。例えば、情報取得部１７２は、図２に示す検索結果表示画面４０におけるボタン４０２がタッチされた場合、当該指示が入力されたと判定して（ＳＴ１１０のＹｅｓ）、撮影画像に写された資材に類似する１以上の既製品の情報を取得する処理を実行する（ＳＴ１１５）。表示処理部１７３は、ステップＳＴ１１５において取得された１以上の既製品の情報に基づいて、検索結果表示画面４０（図２）を生成する（ＳＴ１２５）。
【０１０５】
本変形例によれば、撮影画像に写された資材に類似する１以上の既製品の情報を取得する処理がユーザの指示に従って実行されるため、当該処理が自動的に反復される場合に比べて消費電力を削減できる。
【０１０６】
なお、本発明は上述した実施形態にのみ限定されるものではなく、種々のバリエーションを含んでいる。
【０１０７】
上述した実施形態では、既製品情報提供サーバ２０から既製品の情報を取得しているが、本発明の他の実施形態では、情報表示装置１０において既製品情報提供サーバ２０と同等な画像検索処理を行い、撮影画像に移された資材に類似する既製品の情報を取得してもよい。
【０１０８】
以下、本実施形態に関連する付記を記載する。
【０１０９】
（付記１）
建築物を構成する資材を撮影可能なカメラと、
ディスプレイと、
処理部とを有し、
前記処理部は、
前記カメラにより撮影された前記資材の画像を取得する画像取得部と、
前記画像取得部において前記資材の画像が取得されると、取得された前記画像に基づいて、前記画像に写された前記資材に類似する１以上の既製品の情報を取得する情報取得部と、
前記ディスプレイにおいて表示する画面を生成する表示処理部とを含み、
前記表示処理部は、前記画像に写された前記資材に類似する１以上の前記既製品の情報が前記情報取得部において取得されると、当該１以上の既製品の情報を表示する第１既製品表示画面を生成する、
情報表示装置。
（付記２）
ユーザの指示を入力する入力部を有し、
前記情報取得部は、前記第１既製品表示画面において表示される１以上の前記既製品の中から１つの前記既製品を選択することを求める前記指示が入力されると、当該１つの既製品に関する詳細情報を取得し、
前記表示処理部は、前記情報取得部において前記詳細情報が取得されると、取得された前記詳細情報を表示する第２既製品表示画面を生成する、
付記１に記載の情報表示装置。
（付記３）
前記処理部は、前記第２既製品表示画面において１つの前記既製品の前記詳細情報を表示しているとき、当該１つの既製品に関する情報を記録することを求める前記指示が入力されると、当該１つの既製品の前記詳細情報又は前記詳細情報を取得するための参照情報を記録する既製品情報記録部を含み、
前記表示処理部は、前記既製品情報記録部により記録された前記既製品の一覧を表示することを求める前記指示が入力されると、記録された前記既製品の一覧を表示する一覧表示画面を生成し、
前記情報取得部は、前記一覧表示画面において前記既製品の一覧を表示しているとき、前記既製品の一覧に含まれる１つの前記既製品を選択することを求める前記指示が入力されると、当該１つの既製品について前記既製品情報記録部により記録された前記詳細情報を取得するか、又は、当該１つの既製品について前記既製品情報記録部により記録された前記参照情報に基づいて前記詳細情報を取得し、
前記表示処理部は、前記情報取得部において前記詳細情報が取得されると、取得された前記詳細情報を表示する前記第２既製品表示画面を生成する、
付記２に記載の情報表示装置。
（付記４）
前記表示処理部は、１以上の前記既製品の情報を表示する前記第１既製品表示画面を生成する場合、当該１以上の既製品の各々について前記既製品情報記録部による情報の記録が行われているか否かを表示する前記第１既製品表示画面を生成する、
付記３に記載の情報表示装置。
（付記５）
前記処理部は、前記第２既製品表示画面において１つの前記既製品の前記詳細情報を表示しているとき、当該１つの既製品を含む建築物の設計が可能な設計用ソフトウェアによって利用される設計用データであって、当該１つの既製品に関する情報を含んだ前記設計用データを登録することを求める前記指示が入力されると、前記設計用ソフトウェアを実行するサーバにアクセスし、設計プロジェクトごとに前記サーバが管理する前記設計用データのライブラリへ当該１つの既製品の前記設計用データを登録する処理を行う設計用データ登録部を含む、
付記２〜４のいずれか一つに記載の情報表示装置。
（付記６）
前記処理部は、前記第２既製品表示画面において１つの前記既製品の前記詳細情報が表示される度に、前記詳細情報が表示された日付と、当該１つの既製品を示す情報とを含んだ履歴情報を記録する履歴記録部を含み、
前記表示処理部は、前記履歴情報の閲覧を求める前記指示が入力されると、前記履歴記録部により記録された前記履歴情報を表示する履歴表示画面を生成する、
付記２〜５のいずれか一つに記載の情報表示装置。
（付記７）
前記情報表示装置の地理的な位置に関する位置情報を取得する測位部を有し、
前記履歴記録部は、前記第１既製品表示画面において表示される１以上の前記既製品の中から選択された１つの前記既製品の前記詳細情報を前記第２既製品表示画面において表示した場合、当該１以上の既製品に類似する前記資材を前記カメラが撮影した際に前記測位部で取得された前記位置情報を含む前記履歴情報を記録し、
前記表示処理部は、前記位置情報を含んだ前記履歴表示画面を生成する、
付記６に記載の情報表示装置。
（付記８）
前記履歴記録部は、前記第１既製品表示画面において表示される１以上の前記既製品の中から選択された１つの前記既製品の前記詳細情報を前記第２既製品表示画面において表示した場合、当該１以上の既製品に類似する前記資材を写した前記画像を含む前記履歴情報を記録し、
前記表示処理部は、前記履歴情報中の前記画像の閲覧を求める前記指示が入力されると、前記画像を含んだ前記履歴表示画面を生成する、
付記６又は７に記載の情報表示装置。
（付記９）
前記画像に含まれる前記資材に類似した１以上の前記既製品について前記情報取得部が取得する情報は、当該１以上の既製品の各々と前記資材との類似の度合いを示す類似度を含んでおり、
前記表示処理部は、前記第１既製品表示画面において、前記画像に含まれる前記資材に類似した複数の前記既製品の情報を、前記類似度に応じた順に並べて表示する、
付記２〜８のいずれか一つに記載の情報表示装置。
（付記１０）
前記情報取得部は、前記画像に写された前記資材に類似する１以上の前記既製品の情報を取得することを求める前記指示が入力されると、当該１以上の既製品の情報を取得する処理を実行し、
前記表示処理部は、前記情報取得部において前記１以上の既製品の情報が取得されることに応じて、前記第１既製品表示画面を生成する、
付記１〜９のいずれか一つに記載の情報表示装置。
（付記１１）
前記画像取得部は、前記カメラにより撮影された前記画像を周期的に取得し、
前記情報取得部は、前記画像取得部において前記資材の画像が取得される度に、取得された前記画像に基づいて、前記画像に写された前記資材に類似する１以上の既製品の情報を取得し、
前記表示処理部は、前記情報取得部において前記１以上の既製品の情報が反復的に取得されることに応じて、前記第１既製品表示画面を反復的に生成する、
付記１〜９のいずれか一つに記載の情報表示装置。
（付記１２）
前記情報取得部は、与えられた前記画像に基づいて、前記画像に写された前記資材に類似する前記既製品を検索する画像検索処理を実行するサーバに対し、前記画像取得部において取得された前記画像に写された前記資材に類似する前記既製品の情報の提供を求める情報提供要求を送信し、前記情報提供要求に応答した前記サーバから、前記画像検索処理により検索された１以上の前記既製品の情報を取得する、
付記１〜１１のいずれか一つに記載の情報表示装置。
（付記１３）
１以上のコンピュータを、付記１〜１２のいずれか一つに記載の情報表示装置における前記処理部として機能させるためのプログラム。
（付記１４）
１以上のコンピュータが実行する情報表示方法であって、
建築物を構成する資材の画像を撮影可能なカメラにより撮影された前記資材の画像を取得する第１ステップと、
前記第１ステップにおいて前記資材の画像が取得されると、取得された前記画像に基づいて、前記画像に写された前記資材に類似する１以上の既製品の情報を取得する第２ステップと、
前記画像に写された前記資材に類似する１以上の前記既製品の情報が前記第２ステップにおいて取得されると、当該１以上の既製品の情報を表示する第１既製品表示画面を生成し、ディスプレイにおいて表示する第３ステップと
を有する情報表示方法。
（付記１５）
ユーザの指示を入力する入力部により、前記第１既製品表示画面において表示される１以上の前記既製品の中から１つの前記既製品を選択することを求める前記指示が入力されると、当該１つの既製品に関する詳細情報を取得する第４ステップと、
前記第４ステップにおいて前記詳細情報が取得されると、取得された前記詳細情報を表示する第２既製品表示画面を生成し、前記ディスプレイにおいて表示する第５ステップとを有する、
付記１４に記載の情報表示方法。
（付記１６）
前記第２既製品表示画面において１つの前記既製品の前記詳細情報を表示しているとき、当該１つの既製品に関する情報を記録することを求める前記指示が前記入力部により入力されると、当該１つの既製品の前記詳細情報又は前記詳細情報を取得するための参照情報を記録する第６ステップと、
前記第６ステップにおいて記録された前記既製品の一覧を表示することを求める前記指示が前記入力部により入力されると、記録された前記既製品の一覧を表示する一覧表示画面を生成し、前記ディスプレイにおいて表示する第７ステップと、
前記一覧表示画面において前記既製品の一覧を表示しているとき、前記既製品の一覧に含まれる１つの前記既製品を選択することを求める前記指示が前記入力部により入力されると、当該１つの既製品について前記第６ステップにおいて記録された前記詳細情報を取得するか、又は、当該１つの既製品について前記第６ステップにおいて記録された前記参照情報に基づいて前記詳細情報を取得する第８ステップと、
前記第８ステップにおいて前記詳細情報が取得されると、取得された前記詳細情報を表示する前記第２既製品表示画面を生成し、前記ディスプレイにおいて表示する第９ステップとを有する、
付記１５に記載の情報表示方法。
（付記１７）
前記第３ステップは、１以上の前記既製品の情報を表示する前記第１既製品表示画面を生成する場合、当該１以上の既製品の各々について前記第６ステップによる情報の記録が行われているか否かを表示する前記第１既製品表示画面を生成することを含む、
付記１６に記載の情報表示方法。
（付記１８）
前記第２既製品表示画面において１つの前記既製品の前記詳細情報を表示しているとき、当該１つの既製品を含む建築物の設計が可能な設計用ソフトウェアによって利用される設計用データであって、当該１つの既製品に関する情報を含んだ前記設計用データを登録することを求める前記指示が前記入力部により入力されると、前記設計用ソフトウェアを実行するサーバにアクセスし、設計プロジェクトごとに前記サーバが管理する前記設計用データのライブラリへ当該１つの既製品の前記設計用データを登録する処理を行う第１０ステップを有する、
付記１５〜１７のいずれか一つに記載の情報表示方法。
（付記１９）
前記第２既製品表示画面において１つの前記既製品の前記詳細情報が表示される度に、前記詳細情報が表示された日付と、当該１つの既製品を示す情報とを含んだ履歴情報を記録する第１１ステップと、
前記履歴情報の閲覧を求める前記指示が前記入力部により入力されると、前記第１１ステップにおいて記録された前記履歴情報を表示する履歴表示画面を生成し、前記ディスプレイにおいて表示する第１２ステップとを有する、
付記１５〜１８のいずれか一つに記載の情報表示方法。
（付記２０）
前記カメラが撮影を行う場所の地理的な位置に関する位置情報を取得する第１３ステップを有し、
前記第１１ステップは、前記第１既製品表示画面において表示される１以上の前記既製品の中から選択された１つの前記既製品の前記詳細情報を前記第２既製品表示画面において表示した場合、当該１以上の既製品に類似する前記資材を前記カメラが撮影した際に前記第１３ステップで取得された前記位置情報を含む前記履歴情報を記録することを含み、
前記第１２ステップは、前記位置情報を含んだ前記履歴表示画面を生成することを含む、
付記１９に記載の情報表示方法。
（付記２１）
前記第１１ステップは、前記第１既製品表示画面において表示される１以上の前記既製品の中から選択された１つの前記既製品の前記詳細情報を前記第２既製品表示画面において表示した場合、当該１以上の既製品に類似する前記資材を写した前記画像を含む前記履歴情報を記録することを含み、
前記第１２ステップは、前記履歴情報中の前記画像の閲覧を求める前記指示が入力されると、前記画像を含んだ前記履歴表示画面を生成することを含む、
付記１９又は２０に記載の情報表示方法。
（付記２２）
前記画像に含まれる前記資材に類似した１以上の前記既製品について前記第２ステップにおいて取得する情報は、当該１以上の既製品の各々と前記資材との類似の度合いを示す類似度を含んでおり、
前記第３ステップは、前記第１既製品表示画面において、前記画像に含まれる前記資材に類似した複数の前記既製品の情報を、前記類似度に応じた順に並べて表示することを含む、
付記１４〜２１のいずれか一つに記載の情報表示方法。
（付記２３）
前記第２ステップは、ユーザの指示を入力する入力部により、前記画像に写された前記資材に類似する１以上の前記既製品の情報を取得することを求める前記指示が入力されると、当該１以上の既製品の情報を取得する処理を実行し、
前記第３ステップは、前記情報取得部において前記１以上の既製品の情報が取得されることに応じて、前記第１既製品表示画面を生成する、
付記１４〜２２のいずれか一つに記載の情報表示装置。
（付記２４）
前記第１ステップは、前記カメラにより撮影された前記画像を周期的に取得することを含み、
前記第２ステップは、前記第１ステップにおいて前記資材の画像が取得される度に、取得された前記画像に基づいて、前記画像に写された前記資材に類似する１以上の既製品の情報を取得することを含み、
前記第３ステップは、前記第２ステップにおいて前記１以上の既製品の情報が反復的に取得されることに応じて、前記第１既製品表示画面を反復的に生成することを含む、
付記１４〜２３のいずれか一つに記載の情報表示方法。
（付記２５）
前記第２ステップは、
与えられた前記画像に基づいて、前記画像に写された前記資材に類似する前記既製品を検索する画像検索処理を実行するサーバに対し、前記第１ステップにおいて取得された前記画像に写された前記資材に類似する前記既製品の情報の提供を求める情報提供要求を送信することと、
前記情報提供要求に応答した前記サーバから、前記画像検索処理により検索された１以上の前記既製品の情報を取得することとを含む、
付記１４〜２４のいずれか一つに記載の情報表示方法。
（付記２６）
付記１４〜２５の何れか一つに記載の情報表示方法を１以上のコンピュータに実行させるためのプログラム。
【符号の説明】
【０１１０】
１０…情報表示装置、１１０…通信部、１２０…ディスプレイ、１３０…入力部、１４０…カメラ、１５０…インターフェース部、１６０…記憶部、１６１…プログラム、１７０…処理部、１７１…画像取得部、１７２…情報取得部、１７３…表示処理部、１７４…既製品情報記録部、１７５…履歴記録部、１７６…設計用データ登録部、２０…既製品情報提供サーバ、２３…ＢＩＭコンテンツ提供サーバ、２５…ＢＩＭソフトウェアサーバ
【要約】
【課題】建築物を構成する資材に関する情報を簡易な操作で表示することが可能な情報表示装置を提供する。
【解決手段】情報表示装置１０は、建築物を構成する資材を撮影可能なカメラ１４０と、ディスプレイ１２０と、処理部１７０を有する。処理部１７０は、カメラ１４０で撮影された資材の画像を取得する画像取得部１７１と、画像取得部１７１において資材の画像が取得されると、取得された画像に基づいて、画像に写された資材に類似する１以上の既製品の情報を既製品情報提供サーバ２０から取得する情報取得部１７２と、画像に写された資材に類似する１以上の既製品の情報が情報取得部１７２において取得されると、当該１以上の既製品の情報を表示する画面を生成し、ディスプレイ１２０において表示する表示処理部１７３とを含む。
【選択図】図１【図１】
0006852202.tif 000002
【図２】
0006852202.tif 000003
【図３】
0006852202.tif 000004
【図４】
0006852202.tif 000005
【図５】
0006852202.tif 000006
【図６】
0006852202.tif 000007
【図７】
0006852202.tif 000008
【図８】
0006852202.tif 000009
【図９】
0006852202.tif 000010
【図１０】
0006852202.tif 000011
【図１１】
0006852202.tif 000012